(57)【特許請求の範囲】
【請求項１】
二重接続方式で動作しているユーザ装置が少なくとも１つのベアラの各々に対するバッファステータスレポートを伝送すべき先のセル位置を示す指示を前記ユーザ装置で受信すること、ただし前記セル位置は、二重接続方式で動作しているユーザ装置が、少なくとも１つのベアラの各々に対するバッファステータスレポートを伝送すべき先のセル位置であり、また前記セル位置は、第１の位置、第２の位置、第１の位置および第２の位置、または第１の位置もしくは第２の位置のうちの１つである、前記受信することと；
トリガされたことに応じて、前記指示に示された前記位置にバッファステータスレポートを伝送させることと；
ことを含む方法であって、
前記第１のセル位置への上りリンク伝送、および下りリンクデータに関連する無線リンク制御ステータスのプロトコルデータユニットが前記第２のセル位置に送信される場合に、前記バッファステータスレポートを伝送させることを含み、但し前記バッファステータスレポートは、受信セルに関するデータの量のみを示す、方法。
【請求項２】
前記ベアラは分割ベアラである、請求項１に記載の方法。
【請求項３】
前記ユーザ装置が前記バッファステータスレポートを前記第１のセル位置および前記第２のセル位置に交互に伝送すべきことを前記指示が示している場合に、
前記ユーザ装置が第１のスケジューリングリクエストを前記第１のセル位置に伝送するようにすることと；
前記スケジューリングリクエストを伝送した後に前記ユーザ装置が所定時間の間待機するようにすることと；
前記第１のスケジューリングリクエストに応答して上りリンクグラントが受信されなければ、前記ユーザ装置が第２のスケジューリングリクエストを前記第２のセル位置に伝送するようにすることと；
をさらに含む、請求項１又は２に記載の方法。
【請求項４】
前記指示は、無線リソース制御シグナリング、媒体アクセス制御シグナリングまたは物理レイヤシグナリングによって示される、請求項１から３のいずれかに記載の方法。
【請求項５】
前記ユーザ装置が前記バッファステータスレポートを前記第１のセル位置および前記第２のセル位置に交互に伝送すべきことを前記指示が示している場合に、
前記ユーザ装置が前記第１のスケジューリングリクエストを前記第１のセル位置に伝送するようにすることと；
前記第１のスケジューリングリクエストに応答して上りリンクグラントが受信されなければ、前記ユーザ装置が前記第１のスケジューリングリクエストを前記第１のセル位置に再伝送するようにすることと；
所定回数の再伝送が行われるか所定時間が経過した後に前記第１のスケジューリングリクエストに応答して上りリンクグラントが受信されなければ、前記ユーザ装置が第２のスケジューリングリクエストを前記第２のセル位置に伝送するようにすることと；
をさらに含む、請求項１から４のいずれかに記載の方法。
【請求項６】
前記ユーザ装置が前記バッファステータスレポートを前記第１のセル位置および前記第２のセル位置に交互に伝送すべきことを前記指示が示している場合に、
前記ユーザ装置が前記第１のスケジューリングリクエストを前記第１のセル位置に伝送するようにすることと；
前記第１のスケジューリングリクエストに応答して上りリンクグラントが受信されなければ、前記ユーザ装置が第２のスケジューリングリクエストを前記第２のセル位置に伝送するようにすることと；
をさらに含む、請求項１から５のいずれかに記載の方法。
【請求項７】
前記ユーザ装置が前記バッファステータスレポートを前記第１のセル位置および前記第２のセル位置に交互に伝送すべきことを前記指示が示している場合に、
前記ユーザ装置が第１のスケジューリングリクエストを前記第１のセル位置に伝送するようにすることと；
無線リンクモニタリングが前記第１のセル位置からの信号が弱いことを示している場合、または無線リンク障害の状態がトリガされている場合に、前記ユーザ装置が前記バッファステータスレポートおよびスケジューリングリクエストを前記第２のセル位置に伝送するようにすることと；
をさらに含む、請求項１から６のいずれかに記載の方法。
【請求項８】
前記ユーザ装置が前記バッファステータスレポートを前記第１のセル位置および前記第２のセル位置に伝送すべきことを前記指示が示している場合に、前記バッファステータスレポートが前記第１のセル位置と前記第２のセル位置の両方に伝送されていることを示すビットを前記バッファステータスレポートに含めるようにすることをさらに含む、請求項１から７のいずれかに記載の方法。
【請求項９】
バッファステータスレポートを前記第１のセル位置に伝送するのが失敗した場合に、バッファステータスレポートを前記第２のセル位置に伝送させることをさらに含む、請求項１から８のいずれかに記載の方法。
【請求項１０】
前記第２のセル位置に伝送された前記バッファステータスレポートに、前記第１のセル位置が応答を出すことに失敗したことを示すシグナリングを含めることをさらに含む、請求項１から９のいずれかに記載の方法。
【請求項１１】
二重接続方式で動作しているユーザ装置が少なくとも１つのベアラの各々に対するバッファステータスレポートを伝送すべき先のセル位置を示す指示を前記ユーザ装置で受信する手段、ただし前記セル位置は、二重接続方式で動作しているユーザ装置が、少なくとも１つのベアラの各々に対するバッファステータスレポートを伝送すべき先のセル位置であり、また前記セル位置は、第１の位置、第２の位置、第１の位置および第２の位置、または第１の位置もしくは第２の位置のうちの１つである、前記受信する手段と；
トリガされた手段に応じて、前記指示に示された前記位置にバッファステータスレポートを伝送させる手段と；
を備える装置であって、
前記第１のセル位置への上りリンク伝送、および下りリンクデータに関連する無線リンク制御ステータスのプロトコルデータユニットが前記第２のセル位置に送信される場合に、前記バッファステータスレポートを伝送する手段を更に備え、但し前記バッファステータスレポートは受信セルに関するデータの量のみを示す、装置。
【請求項１２】
前記ベアラは分割ベアラである、請求項１１に記載の装置。
【請求項１３】
前記ユーザ装置が前記バッファステータスレポートを前記第１のセル位置および前記第２のセル位置に交互に伝送すべきことを前記指示が示している場合に、
前記ユーザ装置が第１のスケジューリングリクエストを前記第１のセル位置に伝送するようにする手段と；
前記スケジューリングリクエストを伝送した後に前記ユーザ装置が所定時間の間待機するようにする手段と；
前記第１のスケジューリングリクエストに応答して上りリンクグラントが受信されなければ、前記ユーザ装置が第２のＳＲを前記第２のセル位置に伝送する手段と；
を備える、請求項１１又は１２に記載の装置。
【請求項１４】
前記指示は、無線リソース制御シグナリング、媒体アクセス制御シグナリングまたは物理レイヤシグナリングによって示される、請求項１１から１３のいずれかに記載の装置。
【請求項１５】
前記ユーザ装置が前記バッファステータスレポートを前記第１のセル位置および前記第２のセル位置に交互に伝送すべきことを前記指示が示している場合に、
前記ユーザ装置が第１のスケジューリングリクエストを前記第１のセル位置に伝送するようにする手段と；
前記第１のスケジューリングリクエストに応答して上りリンクグラントが受信されなければ、前記ユーザ装置が前記第１のスケジューリングリクエストを前記第１のセル位置に再伝送するようにする手段と；
所定回数の再伝送が行われた後に前記第１のスケジューリングリクエストに応答して上りリンクグラントが受信されなければ、前記ユーザ装置が第２のスケジューリングリクエストを前記第２のセル位置に伝送する手段と；
を備える、請求項１１から１４のいずれかに記載の装置。
【請求項１６】
前記ユーザ装置が前記バッファステータスレポートを前記第１のセル位置および前記第２のセル位置に交互に伝送すべきことを前記指示が示している場合に、
前記ユーザ装置が第１のスケジューリングリクエストを前記第１のセル位置に伝送するようにする手段と；
前記第１のスケジューリングリクエストに応答して上りリンクグラントが受信されなければ、所定回数の再伝送が行われた後であれば、前記ユーザ装置が第２のスケジューリングリクエストを前記第２のセル位置に伝送する手段と；
を備える、請求項１１から１５のいずれかに記載の装置。
【請求項１７】
前記ユーザ装置が前記バッファステータスレポートを前記第１のセル位置および前記第２のセル位置に交互に伝送すべきであることを前記指示が示している場合に、
・  前記ユーザ装置が第１のスケジューリングリクエスト（ＳＲ）を前記第１のセル位置に伝送するようにする手段と；
・  前記第１のＳＲに応答してＵＬグラントが受信されなければ、所定回数の再伝送が行われた後に前記第１のＳＲに応答してＵＬグラントが受信されなければ、前記ユーザ装置が第２のＳＲを前記第２のセル位置に伝送する手段と；
を備えると共に、、
前記ユーザ装置が前記バッファステータスレポートを前記第１のセル位置に伝送すべきことを前記指示が示している場合に、
・  前記ユーザ装置が第１のスケジューリングリクエストを前記第１のセル位置に伝送するようにする手段と；
・  無線リンクモニタリングが前記第１のセル位置からの信号が弱い手段を示している場合、または無線リンク障害の状態がトリガされている場合に、前記ユーザ装置が前記バッファステータスレポートおよびスケジューリングリクエストを前記第２のセル位置に伝送するようにする手段と；
を備える、請求項１１から１６のいずれかに記載の装置。
【請求項１８】
装置の処理手段に実行されることにより、前記装置に、請求項１から１０のいずれかに記載の方法を遂行させるように構成されるプログラム命令を備える、コンピュータプログラム。
【請求項１９】
処理手段及び記憶手段を備える装置であって、前記記憶手段はプログラム命令を格納し、前記プログラム命令は、前記処理手段に実行されることにより、前記装置に、請求項１から１０のいずれかに記載の方法を遂行させるように構成される、装置。
【発明の詳細な説明】
【技術分野】
【０００１】
本発明の例示的な実施形態は、概して、バッファステータスレポート（ＢＳＲ）およびスケジューリングレポート（ＳＲ）の処理に関し、より詳細には、ユーザ装置（ＵＥ）が二重接続用に構成されているか二重接続で動作するバッファステータスレポート（ＢＳＲ）およびスケジューリングレポート（ＳＲ）の処理に関する。
【背景】
【０００２】
第３世代パートナーシッププロジェクト（「３ＧＰＰ」）のロングタームエボリューション（「ＬＴＥ」）は、３ＧＰＰ  ＬＴＥとも呼ばれ、ユニバーサル移動体通信システム（「ＵＭＴＳ」）などのシステムを改良できる技術および能力を特定することを目的とする、業界全体の継続的な取り組みの一環としての研究開発を指す。広範囲にわたるこのプロジェクトの目標には、通信効率の向上、コスト削減、サービスの向上、新たなスペクトル機会の利用、および他の公開規格とのよりよい統合の達成などがある。
【０００３】
３ＧＰにおける発展型ユニバーサル地上無線アクセスネットワーク（「Ｅ−ＵＴＲＡＮ」）は、ユーザプレーン（パケットデータコンバージェンスプロトコル／無線リンク制御／媒体アクセス制御／物理レイヤなど）および制御プレーン（無線リソース制御／パケットデータコンバージェンスプロトコル／無線リンク制御／媒体アクセス制御／物理レイヤなど）のプロトコル終端を携帯電話などの無線通信装置に向かって提供する基地局を備えている。無線通信装置または無線通信端末は一般にユーザ装置（「ＵＥ」）と呼ばれる。基地局（「ＢＳ」）とは、通信システムまたは通信ネットワークのエンティティまたはネットワーク要素であり、ＮｏｄｅＢまたはＮＢと呼ばれることが多い。特にＥ−ＵＴＲＡＮでは、「発展型」基地局はｅＮｏｄｅＢまたは「ｅＮＢ」と呼ばれる。
【概要】
【０００４】
無線業界で考察されている現在の論題は、スモールセルの展開と動作に対する高度なサポートに関するものであり、これには、例えば、異なるキャリアまたは、場合によっては同じキャリアから供給された、例えばマクロセルレイヤおよびスモールセルレイヤへの二重接続を有するＵＥの利益を識別し評価することが含まれていてよく、さらに、この背景で、二重接続が実現可能かつ／または有益となり得る。また、別の論題には、コアネットワークの影響を最小に抑えるために二重接続用に構成されたＵＥを必要とする背景の場合に、潜在的なアーキテクチャを評価し、識別し、かつプロトコルを発展させることが含まれていてもよい。
【０００５】
例えば、最近の取り決めでは、２つの主要なユーザプレーン（ＵＰ）のアーキテクチャが、二重接続（例えば「１Ａ」などの分割ベアラを含まない第１のアーキテクチャ、および「３Ｃ」などの分割ベアラを含む第２のアーキテクチャであり、このそれぞれについては後述する）の場合に前向きな方法であると見なされた。実施形態によっては、異なるアーキテクチャの代替案および／または異なる構成の選択肢が使用されてもよく、そのどのような組み合わせも（異なるベアラに対して）同時に使用できる。しかしながら、未解決の問題には、例えば、二重接続の場合、ＵＥが２つのｅＮＢに同時に接続されることがある（例えばマスタｅＮＢ（ＭｅＮＢ）および第二ｅＮＢ（ＳｅＮＢ）であり、このそれぞれについては後述する）ということが含まれ得る。ＵＥを２つのｅＮＢに同時に接続すると、場合によっては、ＵＥがバッファステータスレポート（ＢＳＲ）および／またはスケジューリングリクエスト（ＳＲ）をどちらのｅＮＢに伝送すべきかが不明瞭である状況になるおそれがある。実施形態によっては、ネットワーク（ＮＷ）がＵＥの上りリンク（ＵＬ）のスケジューリングをどのように対処するのかということも未解決になることがある。実施形態によっては、ベアラ分割と非ベアラ分割の両方に対して、二重接続用に他のＵＰアーキテクチャも使用してもよい。
【０００６】
３ＧＰＰ仕様のＴＳ３６．３２１には従来のＢＳＲおよびＳＲの手順が明記されているが、そのような手順は、ＵＥを２つのｅＮＢに同時に接続できない場合などの二重接続の事例には、少なくとも部分的に適用できないことがある。
【摘要】
【０００７】
二重接続方式で動作しているＵＥが分割ベアラに対するバッファステータスレポート（ＢＳＲ）を伝送すべき先のセル位置（例えば特定の基地局、ノード、またはｅＮＢ）の指示を提供するために、例示的な実施形態による方法、装置およびコンピュータプログラム製品が提供される。ここでセル位置は、第１の位置、第２の位置、または第１の位置および第２の位置のうちの１つである。実施形態によっては、セル位置の代わりに、（無線）リンク、ＭＡＣエンティティ、論理チャネル、セルグループ、セルなどに対して指示が提供されてもよく、これらの各々は、マスタｅＮＢおよび／または第二ｅＮＢ、またはＭｅＮＢまたはＳｅＮＢによって提供されるセルのうちの１つに結びつけられていてもよい。
【０００８】
実施形態によっては、二重接続方式で動作しているユーザ装置が少なくとも１つのベアラの各々に対するバッファステータスレポートを伝送すべき先のセル位置を示す指示をユーザ装置で受信し、セル位置は、第１の位置、第２の位置、第１の位置および第２の位置、または第１の位置もしくは第２の位置のうちの１つであり、トリガされたことに応じて、指示に示された位置にバッファステータスレポートを伝送させることを含む方法が提供されてもよい。実施形態によっては、ベアラは分割ベアラである。
【０００９】
実施形態によっては、本方法は、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、スケジューリングリクエストを伝送した後にユーザ装置が所定時間の間待機するようにし、第１のスケジューリングリクエストに応答して上りリンクグラントが受信されなければ、ユーザ装置が第２のスケジューリングリクエストを第２のセル位置に伝送するようにすることをさらに含んでいてもよい。実施形態によっては、指示は、無線リソース制御シグナリング、媒体アクセス制御シグナリングまたは物理レイヤシグナリングによって示される。
【００１０】
実施形態によっては、本方法は、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、第１のスケジューリングリクエストに応答して上りリンクグラントが受信されなければ、ユーザ装置が第１のスケジューリングリクエストを第１のセル位置に再伝送するようにし、所定回数の再伝送が行われるか所定時間が経過した後に第１のスケジューリングリクエストに応答して上りリンクグラントが受信されなければ、ユーザ装置が第２のスケジューリングリクエストを第２のセル位置に伝送するようにすることをさらに含んでいてもよい。
【００１１】
実施形態によっては、本方法は、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、第１のスケジューリングリクエストに応答して上りリンクグラントが受信されなければ、ユーザ装置が第２のスケジューリングリクエストを第２のセル位置に伝送するようにすることをさらに含んでいてもよい。
【００１２】
実施形態によっては、本方法は、ユーザ装置がバッファステータスレポートを第１のセル位置に伝送すべきことを指示が示している場合に、ユーザ装置が第１のスケジューリングリクエストを第１のセル位置に伝送するようにし、無線リンクモニタリングが第１のセル位置からの信号が弱いことを示している場合、または無線リンク障害の状態がトリガされている場合に、ユーザ装置がバッファステータスレポートおよびスケジューリングリクエストを第２のセル位置に伝送するようにすることをさらに含んでいてもよい。
【００１３】
実施形態によっては、本方法は、ユーザ装置がバッファステータスレポートを第１のセル位置および第２のセル位置に伝送すべきことを指示が示している場合に、バッファステータスレポートが第１のセル位置と第２のセル位置の両方に伝送されていることを示すビットをバッファステータスレポートに含めるようにすることをさらに含んでいてもよい。
【００１４】
実施形態によっては、本方法は、バッファステータスレポートを第１のセル位置に伝送するのが失敗した場合に、バッファステータスレポートを第２のセル位置に伝送させることをさらに含んでいてもよい。実施形態によっては、本方法は、第２のセル位置に伝送されたバッファステータスレポートに、第１のセル位置が応答を出すことに失敗したことを示すシグナリングを含めることをさらに含んでいてもよい。実施形態によっては、本方法は、第１のセル位置への上りリンク伝送、および下りリンクデータに関連する無線リンク制御ステータスのプロトコルデータユニットが第２のセル位置に送信された場合に、バッファステータスレポートを伝送させ、そのバッファステータスレポートが受信セルに関するデータの量のみを示すことをさらに含んでいてもよい。
【００１５】
実施形態によっては、装置が提供されてもよい。装置は、少なくとも１つのプロセッサと、コンピュータプログラムコードを含む少なくとも１つのメモリとを備え、少なくとも１つのメモリおよびコンピュータプログラムコードは、二重接続方式で動作している装置が少なくとも１つのベアラの各々に対するバッファステータスレポートを伝送すべき先のセル位置を示す指示を装置が受信し、セル位置は、第１の位置、第２の位置、第１の位置および第２の位置、または第１の位置もしくは第２の位置のうちの１つであり、トリガされたことに応答して、指示に示された位置にバッファステータスレポートを伝送させるように、プロセッサとともに構成される。実施形態によっては、ベアラは分割ベアラである。実施形態によっては、指示は、無線リソース制御シグナリング、媒体アクセス制御シグナリングまたは物理レイヤシグナリングによって示される。
【００１６】
実施形態によっては、少なくとも１つのメモリおよびコンピュータプログラムコードはさらに、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、スケジューリングリクエストを伝送した後にユーザ装置が所定時間の間待機するようにし、第１のスケジューリングリクエストに応答して上りリンクグラントが受信されなければ、ユーザ装置が第２のＳＲを第２のセル位置に伝送することを装置にさせるように、プロセッサとともに構成される。
【００１７】
実施形態によっては、少なくとも１つのメモリおよびコンピュータプログラムコードはさらに、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、第１のスケジューリングリクエストに応答して上りリンクグラントが受信されなければ、ユーザ装置が第１のスケジューリングリクエストを第１のセル位置に再伝送するようにし、所定回数の再伝送が行われた後に第１のスケジューリングリクエストに応答して上りリンクグラントが受信されなければ、ユーザ装置が第２のスケジューリングリクエストを第２のセル位置に伝送することを装置にさせるように、プロセッサとともに構成される。
【００１８】
実施形態によっては、少なくとも１つのメモリおよびコンピュータプログラムコードはさらに、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、第１のスケジューリングリクエストに応答して上りリンクグラントが受信されなければ、所定回数の再伝送が行われた後であれば、ユーザ装置が第２のスケジューリングリクエストを第２のセル位置に伝送することを装置にさせるように、プロセッサとともに構成される。
【００１９】
実施形態によっては、少なくとも１つのメモリおよびコンピュータプログラムコードはさらに、ＵＥがＢＳＲを第１のセル位置および第２のセル位置に交互に伝送すべきであることを指示が示している場合に、ＵＥが第１のスケジューリングリクエスト（ＳＲ）を第１のセル位置に伝送するようにし、第１のＳＲに応答してＵＬグラントが受信されなければ、所定回数の再伝送が行われた後に第１のＳＲに応答してＵＬグラントが受信されなければ、ＵＥが第２のＳＲを第２のセル位置に伝送することを装置にさせるように、プロセッサとともに構成される。
【００２０】
実施形態によっては、ユーザ装置がバッファステータスレポートを第１のセル位置に伝送すべきことを指示が示している場合に、ユーザ装置が第１のスケジューリングリクエストを第１のセル位置に伝送するようにし、無線リンクモニタリングが第１のセル位置からの信号が弱いことを示している場合、または無線リンク障害の状態がトリガされている場合に、ユーザ装置がバッファステータスレポートおよびスケジューリングリクエストを第２のセル位置に伝送するようにする。
【００２１】
実施形態によっては、プログラムコード部分が格納されている一時的でないコンピュータ可読媒体を備えるコンピュータプログラム製品が提供されてもよく、プログラムコード部分は、実行時に、二重接続方式で動作しているユーザ装置が少なくとも１つのベアラの各々に対するバッファステータスレポートを伝送すべき先のセル位置を示す指示を受信し、セル位置は、第１の位置、第２の位置、第１の位置および第２の位置、または第１の位置もしくは第２の位置のうちの１つであり、トリガされたことに応じて、指示に示された位置にバッファステータスレポートを伝送させるように構成される。実施形態によっては、ベアラは分割ベアラである。実施形態によっては、指示は、無線リソース制御シグナリング、媒体アクセス制御シグナリングまたは物理レイヤシグナリングによって示される。
【００２２】
実施形態によっては、プログラムコード部分はさらに、実行時に、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、スケジューリングリクエストを伝送した後にユーザ装置が所定時間の間待機するようにし、第１のスケジューリングリクエストに応答して上りリンクグラントが受信されなければ、ユーザ装置が第２のスケジューリングリクエストを第２のセル位置に伝送するようにするように構成される。
【００２３】
実施形態によっては、プログラムコード部分はさらに、実行時に、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、第１のスケジューリングリクエストに応答して上りリンクグラントが受信されなければ、ユーザ装置が第１のスケジューリングリクエストを第１のセル位置に再伝送するようにし、所定回数の再伝送が行われた後に第１のスケジューリングリクエストに応答して上りリンクグラントが受信されなければ、ユーザ装置が第２のスケジューリングリクエストを第２のセル位置に伝送するようにするように構成される。
【００２４】
実施形態によっては、プログラムコード部分はさらに、実行時に、ユーザ装置がバッファステータスレポートを第１のセル位置および第２のセル位置に交互に伝送すべきことを指示が示している場合に、ユーザ装置が第１のスケジューリングリクエストを第１のセル位置に伝送するようにし、所定回数の再伝送が行われた後に第１のスケジューリングリクエストに応答して上りリンクグラントが受信されなければ、ユーザ装置が第２のスケジューリングリクエストを第２のセル位置に伝送するようにするように構成される。
【００２５】
実施形態によっては、プログラムコードはさらに、実行時に、ユーザ装置がバッファステータスレポートを第１のセル位置に伝送すべきことを指示が示している場合に、ユーザ装置が第１のスケジューリングリクエストを第１のセル位置に伝送するようにし、無線リンクモニタリングが第１のセル位置からの信号が弱いことを示している場合、または無線リンク障害の状態がトリガされている場合に、ユーザ装置がバッファステータスレポートおよびスケジューリングリクエストを第２のセル位置に伝送するようにするように構成される。
【００２６】
以上、本発明の例示的な実施形態を大まかに記載したが、次に添付の図面を参照する。図面は必ずしも原寸通りに描かれてはいない。
【図面の簡単な説明】
【００２７】
【図１】本発明の例示的な実施形態によるベアラ分割ではない（ｅＮＢの特定ベアラ）タイプのアーキテクチャの概略図である。
【図２】本発明の例示的な実施形態によるベアラ分割タイプのアーキテクチャの概略図である。
【図３】図３Ａ〜図３Ｃは、本発明の例示的な実施形態に対して特別に構成され得る装置および基地局システムのブロック図である。
【図４】本発明の例示的な実施形態による、図３の装置などによって実施される動作を示すフローチャートである。
【図５】本発明の例示的な実施形態による、図３の装置などによって実施される動作を示すフローチャートである。
【図６】本発明の例示的な実施形態に対して特別に構成され得る装置のブロック図である。
【詳細説明】
【００２８】
次に、本発明のいくつかの実施形態を、添付の図面を参照して以下にさらに完全に説明する。図面には本発明の実施形態の一部を示しており、全てを示してはいない。実際、本発明の様々な実施形態を多くの異なる形態で実現でき、本明細書に記載した実施形態に限定されるものと解釈すべきではなく、これらの実施形態は、本開示が適用され得る法的要件を満たすように提供されるものである。全体を通して同じ符号は同じ要素を指している。本明細書で使用したように、「データ（ｄａｔａ）」、「コンテンツ（ｃｏｎｔｅｎｔ）」、「情報（ｉｎｆｏｒｍａｔｉｏｎ）」という用語および同様の用語は、本発明の実施形態に従って伝送、受信および／または格納できるデータを指すために入れ替え可能な形で使用され得る。そのため、このような用語のいずれかを使用していても、本発明の実施形態の趣旨および範囲を限定するものと捉えてはならない。
【００２９】
また、本明細書で使用したように、「回路（ｃｉｒｃｕｉｔｒｙ）」という用語は、（ａ）ハードウェアのみの回路への実装（例えばアナログ回路および／またはデジタル回路に実装）；（ｂ）回路と、１つ以上のコンピュータ可読メモリに記憶されたソフトウェアおよび／またはファームウェアの命令を含むコンピュータプログラム製品とを組み合わせたもので、一緒に動作して本明細書に記載した１つ以上の機能を装置に実施させるもの；ならびに（ｃ）例えばマイクロプロセッサまたはマイクロプロセッサの一部などの回路で、ソフトウェアまたはファームウェアが物理的に存在しない場合であってもソフトウェアまたはファームウェアに動作を要求する回路を指す。この「回路」の定義は、請求項を含めて本明細書に記載したこの用語の使用例すべてに当てはまる。さらに別の例を挙げると、本明細書で使用したように、「回路」という用語は、１つ以上のプロセッサおよび／またはその部分を備え、ソフトウェアおよび／またはファームウェアを伴う実装も含む。別の例を挙げると、「回路」という用語は、本明細書で使用したように、例えば携帯電話用のベースバンド集積回路もしくはアプリケーションプロセッサ集積回路、またはサーバ内の同様の集積回路、セルラーネットワークデバイス、その他のネットワークデバイス、および／またはその他のコンピューティングデバイスも含む。
【００３０】
本明細書に定義したように、一時的でない物理的な記憶媒体（例えば揮発性または不揮発性の記憶装置）を指す「コンピュータ可読記憶媒体」を、電磁信号を指す「コンピュータ可読伝送媒体」と区別できる。
【００３１】
次に、本発明の例示的な実施形態を、添付の図面を参照して以下にさらに完全に説明する。図面には本発明の実施形態の一部を示しており、全てを示してはいない。実際、本発明は、多くの異なる形態で実現でき、本明細書に記載した実施形態に限定されるものと解釈すべきではなく、むしろこれらの実施形態は、本開示が適用され得る法的要件を満たすように提供されるものである。本明細書は、複数の場面で「１つの（ａｎ）」、「１つの（ｏｎｅ）」、または「いくつかの（ｓｏｍｅ）」実施形態に言及することがあるが、これは必ずしもそのような言及の１つ１つが同じ実施形態を指すことを意味しているわけではなく、その特徴が単一の実施形態に当てはまることを意味する。様々な実施形態の単一の特徴を組み合わせて他の実施形態を提供してもよい。全体を通して同じ符号は同じ要素を指す。
【００３２】
本発明は、あらゆるユーザ端末、サーバ、アプリケーションサーバ、対応するコンポーネント、および／またはあらゆる通信システムまたは異なる通信システムの任意の組み合わせに適用可能である。通信システムは、固定通信システムもしくは無線通信システム、または固定ネットワークと無線ネットワークとを両方使用する通信システムであってもよい。通信システム、伝送器、ユーザ端末、基地局および特に無線通信でのアクセスポイントの仕様で用いられるプロトコルは急速に発達している。このような発達で、実施形態に余分な変更が必要になることがある。したがって、あらゆる単語および表現は、広義に解釈されるべきであり、実施形態を説明するためであって限定するためではない。
【００３３】
本発明の実施形態は、ハンドヘルド通信デバイスやインフラストラクチャ通信デバイスなどのデバイスの間にデータを伝送するのに無線信号を使用できる様々なデバイスおよびシステムに実装され得る。デバイスの例には、例えばユーザ装置（ＵＥ）、携帯電話、基地局（ＢＳ）、Ｎｏｄｅ−Ｂ（ＮＢ）、発展型ＮＢ（ｅＮＢ）、中継局およびサーバなどがある。例えば、スモールセル基地局（または例えば無線アクセスポイントまたはリモート無線ヘッド）は、スモールセル、またはカバレッジエリアをカバーするように実装されてもよく、この例には、住居、小企業、建物、事務所、または小エリアなどがある。例えばホーム基地局（ＨＮＢ）、ホームＥ−ＵＴＲＡＮ  ＮｏｄｅＢ基地局（ＨｅＮＢ）、ＷｉＦｉアクセスポイントなどのスモールセル基地局は、例えばＥ−ＵＴＲＡＮ  ＮｏｄｅＢ（ｅＮＢ）基地局などの通常の基地局に見られる機能のいくつかを有するように構成されてもよいが、スモールセル基地局は、その限られたカバレッジエリアまたはカバレッジクラスに与えられたカバレッジ／範囲がより少なく／小さく、出力能力がより低いことがある。さらに、スモールセル基地局は、バックホールの接続が限定されて（または理想的でなく）、マクロセル基地局よりも待ち時間が長い、あるいはスループットが低いことがある。このようにバックホールの接続が限定されていることで、スモールセル基地局と他の基地局と他のネットワーク要素またはノードとの間の通信に影響を及ぼすおそれがある。ユーザ装置が、他のデバイス（複数のデバイス、またはデバイスからデバイスへの通信またはグループ通信の一部）に対するアクセスポイントまたは基地局として作用でき、そのため、場合によってはユーザ装置を能力を制限された基地局またはスモールセルと考えることも可能である。例えば、スモールセル基地局は、１０メートルほどの限られた範囲内で無線デバイスとして働くセルへの電力を十分に有するフェムトセル無線アクセスポイント／基地局として実装されてもよい。ピコセル基地局はスモールセル基地局の別の例だが、ピコセル基地局は、いくぶん範囲が広く、約１００〜２００メートルという小エリアに働く。スモールセル基地局は、キャリアアグリゲーションで第二基地局、例えば、第二セル（ＳＣｅｌｌ）ｅＮとして実装され得る。第二のｅＮＢ（ＳｅＮＢ）と呼んでもよい。したがって、無線サービスプロバイダはスモールセル基地局を、サービス範囲をスモールセルの中に拡大する方法と見なし、トラフィックをスモールセル基地局に分散して軽減する方法と見なし、かつ／または、例えばｅＮＢ基地局などの通常の基地局によって提供される大きいマクロセルと比較したときよりも、例えばデータ伝送率を上げ、待ち時間を短縮し、エネルギー効率を上げるなどの高度なサービスをスモールセル内で提供する方法と見なす。マクロセル基地局は、キャリアアグリゲーションで第一基地局、例えば第一セル（ＰＣｅｌｌ）ｅＮＢとして実装されてもよく、マスタｅＮＢ（ＭｅＮＢ）と呼んでもよい。基地局は、様々な第１世代（１Ｇ）通信プロトコル、第２世代（２Ｇまたは２．５Ｇ）通信プロトコル、第３世代（３Ｇ）通信プロトコル、第４世代（４Ｇ）通信プロトコル、ＷｉＦｉ��またはその他のスモールセルプロトコル）、および／またはその他の任意の無線アクセスネットワーク通信プロトコルなど、その他の種類のエアインターフェースを提供するように構成されてもよい。特定の規格および技術を記載したが、他の規格および技術も用いてよいため、これらは単なる例にすぎない。
【００３４】
また、ＭｅＮＢおよび／またはＳｅＮＢに関連するサービングセルが２つ以上あってもよい。これらは、ＭＣＧ（Ｍａｓｔｅｒ  Ｃｅｌｌ  Ｇｒｏｕｐ）およびＳＣＧ（Ｓｅｃｏｎｄａｒｙ  Ｃｅｌｌ  Ｇｒｏｕｐ）と呼ばれることもあり、それぞれＭｅＮＢおよびＳｅＮＢに関連するサービングセルのグループを指す。
【００３５】
また、基地局は、様々な第１世代（１Ｇ）通信プロトコル、第２世代（２Ｇまたは２．５Ｇ）通信プロトコル、第３世代（３Ｇ）通信プロトコル、第４世代（４Ｇ）通信プロトコル、ＷｉＦｉ（またはその他のスモールセルプロトコル）、および／またはその他の任意の無線アクセスネットワーク通信プロトコルなどのその他の種類のエアインターフェースを提供するように構成されてもよい。特定の規格および技術を記載したが、他の規格および技術も用いてよいため、これらは単なる例にすぎない。
【００３６】
ユーザ装置（ＵＥ）は、任意のユーザ通信デバイスを指すことができる。本明細書で使用した「ユーザ装置」という用語は、無線モバイル端末、携帯情報端末（ＰＤＡ：Ｐｅｒｓｏｎａｌ  Ｄａｔａ  Ａｓｓｉｓｔａｎｔ）、スマートフォン、パーソナルコンピュータ（ＰＣ）、ラップトップコンピュータ、デスクトップコンピュータなど、通信能力を有するデバイスを指すことができる。例えば、無線通信端末は、地上基盤無線（ＴＥＴＲＡ：ＴＥｒｒｅｓｔｒｉａｌ  Ｔｒｕｎｋｅｄ  ＲＡｄｉｏ）、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ、ＬＴＥ−Ａ、ＧＳＭ（登録商標）／ＥＤＧＥスマートモバイル端末などであってよい。
＜高位の概要および定義＞
【００３７】
例示的な実施形態による方法、装置およびコンピュータプログラム製品を提供して、二重接続モードで動作するＵＥが分割ベアラに対するバッファステータスレポート（ＢＳＲ）を伝送すべき先のセル位置を示すネットワーク構成または指示を提供する。
【００３８】
本明細書で提供する方法、装置およびコンピュータプログラム製品は、少なくとも２つのユーザプレーン（ＵＰ）アーキテクチャ、つまり第１のアーキテクチャおよび第２のアーキテクチャがあって、これらを二重接続の場合と見なす仮定（最近実施された３ＧＰＰ  ＲＡＮ２会合に基づく仮定）に基づいていてもよい。第１のアーキテクチャは、非ベアラ分割タイプのアーキテクチャである「１Ａ」であってもよく、第２のアーキテクチャは、ベアラ分割タイプのアーキテクチャである「３Ｃ」であってもよく、両者を図１および２にそれぞれ示している。
【００３９】
本明細書でベアラについて考察するとき、概して「ベアラ」とは、２つのエンドポイント（例えばＵＥとｅＮＢ）の間の仮想接続のことである。実施形態によっては、接続指向の伝送ネットワークでは、２つのエンドポイントの間にトラフィックが送られ得る前に、両エンドポイント（例えばＵＥとｅＮＢ）の間で「仮想」接続を確立することが必要なことがある。この仮想接続は、「ＥＰＳベアラ」と呼ばれることがある。ＢＳＲは、ＵＥからネットワーク、またはｅＮＢへの媒体アクセス制御（ＭＡＣ）の制御要素（ＣＥ）であり、送出すべきデータがＵＥバッファにどれだけあるかについての情報を保有している。本明細書で使用する「セル位置」は、特定の基地局、ノード、ｅＮＢ、ＭｅＮＢ、ＳｅＮＢなどを説明するために使用される。セル位置は、物理的なアドレスなどの指示を含む必要はない。具体的または特定のＢＳ、ＮＢ、ｅＮＢ、中継局、サーバ、ＭｅＮＢ、ＳｅＮＢなどを識別するどのような指示も、「セル位置」となる条件を満たすことができる。
【００４０】
アーキテクチャ１Ａに戻ると、二重接続の場合、ベアラは分割されない。換言すれば、１つのＥＰＳベアラは、１つのｅＮＢ、通常は「ＭｅＮＢ」または「ＳｅＮＢ」を介してルート設定される。したがって、そのような場合、（例えばアーキテクチャ１Ａ、よって非ベアラ分割）、ＵＥはどのベアラがどこへ行くのかを認識している。しかしながら、３Ｃアーキテクチャ（例えばベアラ分割）の場合、選択肢は明白ではないことがある。
【００４１】
本明細書で使用した「ベアラ分割」は、ＥＰＳベアラが２つ以上のｅＮＢを介してルート設定され得ることを説明でき、このｅＮＢは通常、二重接続におけるＭｅＮＢおよびＳｅＮＢであってもよい。同じように、ロングタームエボリューション（ＬＴＥ）キャリアアグリゲーション（ＣＡ）は、ＬＴＥアドバンスト規格、３ＧＰＰリリース１０の一部であり、１つのベアラを複数のセルを介してスケジューリングできるように構成され得る。しかしながら、ＬＴＥ  ＣＡでは同じｅＮＢから２つ以上のセルが提供されることがあるが、二重接続では、セルの少なくともいくつかが異なるｅＮＢから提供される。後述する図２は、２つ以上のｅＮＢを介して、通常は二重接続状態のＭｅＮＢおよびＳｅＮＢを介してルート設定されたＥＰＳベアラを示している。
【００４２】
したがって、本明細書で提供する方法、装置およびコンピュータプログラム製品は、二重接続の場合に（または分割ベアラの場合に）ＢＳＲおよび／またはＳＲを伝送できる位置（例えばどのｅＮＢか、ＭｅＮＢかＳｅＮＢかなど）、およびどのような状況で伝送できるのかを示す指示を提供するために使用されてもよい。本明細書で提供する方法、装置およびコンピュータプログラム製品は、特に前述したアーキテクチャに関連付けて、またはさらに全般的には、「ベアラ分割」および／または「非ベアラ」分割の事例で示すことができる。さらに、本明細書で提供する方法、装置およびコンピュータプログラム製品は、無線リンク制御（ＲＬＣ）ステータスに対処するために、かつ、実施形態によっては具体的に二重接続に対して対処するするために、パケットデータユニット（ＰＤＵ）を提供できる。
【００４３】
従来の方法では、ＳＲおよびＢＳＲトリガおよびスケジューラごとに維持できるレポートを提供できる。しかしながら、従来の方法では、異なるタイプのベアラに基づき、かつＵＰアーキテクチャ、例えば分割ベアラおよび非分割ベアラに従ってＢＳＲ／ＳＲをトリガする方法、装置およびコンピュータプログラム製品は提供されない。
【００４４】
このように、ＵＥが分割ベアラのＢＳＲをどこに送信すべきかを示すネットワーク構成を簡易化するために、例示的な実施形態による方法、装置およびコンピュータプログラム製品が提供される。実施形態によっては、ＢＳＲがセルに向かってトリガされると、ＳＲは、対応するセルに送信される。さらに、実施形態によっては、（ＤＬトラフィックに関する）ＲＬＣステータスレポートをどのセルに向けて送信すべきかをＵＥに示されてもよい。実施形態によっては、Ｍ−ｅＮＢとＳｅＮＢの両方から供給されたベアラに対するＰＤＣＰレイヤへの伝送に利用できるデータがＭ−ＢＳＲおよび／またはＳ−ＢＳＲでどのように計算されるのかを、（１）Ｍ−ＢＳＲのみの場合；（２）Ｓ−ＢＳＲのみの場合；または（３）Ｍ−ＢＳＲとＳ−ＢＳＲの両方の場合のそれぞれに対して構成可能でなければならない。
【００４５】
本明細書の他の実施形態は、「Ｍ−ＢＳＲ」をＢＳＲレポートとしてＭｅＮＢに導入し、「Ｓ−ＢＳＲ」をＢＳＲレポートとしてＳｅＮＢに導入し、「Ｍ−ＳＲ」をＳＲとしてＭｅＮＢに導入し、「Ｓ−ＳＲ」をＳＲとしてＳｅＮＢに導入することを含めることができる。
【００４６】
実施形態によっては、Ｍ−ＢＳＲは、少なくとも、ＭｅＮＢのみから供給されたベアラに対するＲＬＣおよびＰＤＣＰレイヤへの伝送に利用できるデータ、ＲＬＣデータＰＤＵに含まれなかったＲＬＣ  ＳＤＵセグメント、ＭｅＮＢとＳｅＮＢの両方から供給されたベアラに対するＭｅＮＢに対応するＲＬＣエンティティのＲＬＣ再伝送ＰＤＵ／部分（データ）およびＲＬＣステータスＰＤＵ（または単純に、ＭｅＮＢとＳｅＮＢの両方から供給されたベアラに対するＭｅＮＢに対応するＲＬＣエンティティにおけるＲＬＣレイヤ内のデータ）、および／または、任意選択で構成に基づいて、ＭｅＮＢとＳｅＮＢの両方から供給されたベアラに対するＰＤＣＰレイヤ内のデータを含んでいてもよい。
【００４７】
実施形態によっては、Ｓ−ＢＳＲは、ＳｅＮＢのみから供給されたベアラに対するＲＬＣおよびＰＤＣＰレイヤへの伝送に利用できるデータ、ＲＬＣデータＰＤＵに含まれなかったＲＬＣ  ＳＤＵセグメント、ＭｅＮＢとＳｅＮＢの両方から供給されたベアラに対するＳｅＮＢに対応するＲＬＣエンティティのＲＬＣ再伝送ＰＤＵ／部分（データ）およびＲＬＣステータスＰＤＵ、および／または任意選択で構成に基づいて、ＭｅＮＢとＳｅＮＢの両方から供給されたベアラに対するＰＤＣＰレイヤ内のデータを含んでいてもよい。
【００４８】
実施形態によっては、優先度の高いデータの到着がＢＳＲトリガに起きた場合、データは、Ｍ−ＢＳＲおよびＳ−ＢＳＲそれぞれをトリガするために各ノードに伝送するのに利用できると見なされたデータに限定されるべきである。実施形態によっては、ＢＳＲのパディングをＭ−ＢＳＲおよびＳ−ＢＳＲに別々に適用できる。実施形態によっては、Ｍ−ＢＳＲおよびＳ−ＢＳＲに対してｒｅｔｘＢＳＲ−ＴｉｍｅｒおよびｐｅｒｉｏｄｉｃＢＳＲ−Ｔｉｍｅｒが別々に構成されて維持されてもよい。
【００４９】
実施形態によっては、ＢＳＲがトリガされたときにＭｅＮＢへの新たな伝送のＵＬグラントがなければ、レギュラーＭ−ＢＳＲがＳＲをＭｅＮＢ（Ｍ−ＳＲ）にトリガし、Ｓ−ＢＳＲがトリガされたときにＳｅＮＢへの新たな伝送に対するＵＬグラントがなければ、レギュラーＳ−ＢＳＲがＳＲをＳｅＮＢ（Ｓ−ＳＲ）にトリガする。
【００５０】
本明細書の１つの利点は、二重接続の分割ベアラに対してＢＳＲ／ＳＲに対処するためのサポートを提供することである。
＜例示的なアーキテクチャ＞
【００５１】
図１は、第１のユーザプレーン（ＵＰ）アーキテクチャを示し、第１のＵＰアーキテクチャは、非ベアラ分割のアーキテクチャ（例えばアーキテクチャ１Ａ）を備える。アーキテクチャ１Ａの場合、または、実施形態によっては、いずれかのＵＰアーキテクチャが非ベアラ分割を備えている場合、ＵＥはどのベアラがどこに行くのかを認識できる。例えば、第１のアーキテクチャ（例えばアーキテクチャ１Ａ）の場合、および二重接続の場合、ベアラは分割されず、１つのＥＰＳベアラが１つのｅＮＢを介して、通常はＭｅＮＢまたはＳｅＮＢを介してルート設定される。
【００５２】
一方、図２は第２のＵＰアーキテクチャ（例えば３Ｃアーキテクチャ）を示している。第２のＵＰアーキテクチャは、ベアラ分割の一例を含んでいる。実施形態によっては、第２のＵＰアーキテクチャまたはいずれかのＵＰアーキテクチャがベアラ分割を備えている場合、ＵＥがどこにＢＳＲを伝送するかという選択肢は明白ではないことがある（例えばＵＥはどのベアラがどこへ行くのか認識できない）。
【００５３】
本明細書で使用したベアラ分割とは、２つ以上のｅＮＢを介してＥＰＳベアラをルート設定できることを意味し、このｅＮＢは通常、二重接続におけるＭｅＮＢおよびＳｅＮＢであってもよい。前述したように、これは複数のセルを介して１つのベアラをスケジューリングできるＲｅｌ  １０／１１キャリアアグリゲーションと同様である。キャリアアグリゲーションでは、２つ以上のセルが同じｅＮＢから供給されるのに対し、二重接続ではセルの少なくともいくつかが別のｅＮＢから供給される。これを図２に示しており、この図はベアラ分割３Ｃのアーキテクチャを示している。
＜例示的なネットワーク構成＞
【００５４】
実施形態によっては、前述したアーキテクチャの使用過程で起こり得る１つ以上の問題に対処するために、ネットワーク構成が提供されてもよい。例えば、実施形態によっては、二重接続の場合に、特に上記のアーキテクチャで（または「ベアラ分割」および「非ベアラ」分割の場合に）、ＵＥがＢＳＲおよびＳＲを伝送するための位置および／または方法に対処するためにネットワーク構成が提供されてもよい。また、本明細書のいくつかの実施形態は、無線リンク制御（ＲＬＣ）ステータスのプロトコルデータユニット（ＰＤＵ）をどのように処理するかということに対処し、実施形態によっては、ＲＣＬステータスのＰＤＵが二重接続に関してどのように送信されるのかということに対処する。
【００５５】
最初の問題に関して、例えばＵＰアーキテクチャ１Ａおよび／または３Ｃを用いた二重接続では、３種類のベアラそれぞれが、別々のＢＳＲ／ＳＲの手順：（１）ＭｅＮＢの特定のベアラ；（２）ＳｅＮＢの特定のベアラ；および（３）分割ベアラを要求できるか、同ベアラ用に構成され得る。図３Ａ、３Ｂおよび３Ｃは、二重接続の選択肢を示している。具体的には、図３ＡはＭｅＮＢの特定のベアラを示し、図３ＣはＳｅＮＢの特定のベアラを示し、図３Ｂは分割ベアラを示している。
【００５６】
さらに具体的には、図３Ａは、第１のタイプのベアラを示している（例えばＭｅＮＢのみから供給され、１つのＲＬＣエンティティがＭｅＮＢのみに供給される）。図３Ｂは、第２のタイプのベアラを示している（例えばＭｅＮＢとＳｅＮＢの両方から供給され、２つのＲＬＣエンティティがＭｅＮＢとＳｅＮＢの両方に供給される）。図３Ｃは、第３のタイプのベアラを示している（例えばＳｅＮＢのみから供給され、１つのＲＬＣエンティティがＳｅＮＢのみに供給される）。
【００５７】
ＭｅＮＢの特定のベアラは、過去データのベアラのようなものであってもよく／過去データベアラのように行動してもよく、過去データの手順を使用できる。実施形態によっては、ＳｅＮＢの特定のベアラも過去データのベアラであってもよく、過去データの手順を使用できる。しかしながら、ＢＳＲをＳｅＮＢに伝送するのに失敗した（例えばＳＲへの応答がない、またはＢＳＲの伝送が失敗した）場合、ＵＥは、ＳｅＮＢへのランダムアクセスを試行するのに加え（またはこの代わりに）、ＳｅＮＢが応答しなかったことをＭｅＮＢに示すことができる。この場合ＵＥは、ＢＳＲをＭｅＮＢに送信してもよい。
【００５８】
分割ベアラに関して、３つの異なるＢＳＲ／ＳＲの代替案は、次のように構成され得る：（１）ＵＬベアラ分割がない；（２）ＵＬデータは１つのｅＮＢのみに行くが、ＤＬデータに関するＲＬＣステータスＰＤＵを引き続き他のｅＮＢに送信する；および（３）ＵＬベアラ分割。
【００５９】
第１の代替案では、具体的には、ＵＬベアラ分割がない構成である。例えば、図３Ｂに示したように、物理上りリンク共有チャネル（ＰＵＳＣＨ）は、ＲＬＣステータスを１つのセルのみに伝送してＸｎ上に転送するように構成されてもよい。ここで、過去データの事例と同様だがＢＳＲをＳｅＮＢに伝送するのに失敗した場合、ＵＥは、ＳｅＮＢへのランダムアクセスを試行するのに加え（またはこの代わりに）、ＢＳＲをＭｅＮＢにも伝送するのを試行するように構成されてもよい。実施形態によっては、ＵＥはさらに、ＳｅＮＢが応答に失敗したことを示すように構成されてもよい。
【００６０】
第２の代替案では、具体的には、ＵＬデータが単一のｅＮＢに伝送される場合、ＵＥは、ＤＬデータに関するＲＬＣステータスＰＤＵを引き続き他のｅＮＢに伝送していてもよい。ここで、ＢＳＲは、受信セルに関するデータの量のみを示すことができる。それはすなわち、ＲＬＣステータスＰＤＵ、またはＲＬＣステータスＰＤＵ＋ユーザデータである。
【００６１】
ＵＬベアラ分割を含む第３の代替案では、ＮＷおよび／またはＵＥは、ＵＥがＢＳＲを、（１）ＭｅＮＢ；（２）ＳｅＮＢ；（３）この両方；または（４）ＵＬグラントがＵＥに与えられるまでＭｅＮＢおよびＳｅＮＢ（またはこの逆の順）に取って代わるもののうちいずれか１つに伝送するように構成されてもよい。実施形態によっては、ＢＳＲは、ＵＥがＢＳＲを他のｅＮＢにも送信したか（または送信を試行しているか）どうかの情報を含むことができる。実施形態によっては、マスタＢＳＲおよび第二ＢＳＲは、そのような構成に構成されてもよい。
【００６２】
実施形態によっては、引き続き第３の代替案に関して、ＵＥは、バッファリングされたＵＬデータに対する閾値を用いて構成されてもよい。この閾値は、データの量が閾値よりも少ないときにＵＥがＢＳＲを単一のｅＮＢ（例えばＳｅＮＢ）だけに送信できるように、ベアラごとまたは論理チャネルグループ（ＬＣＧ：Ｌｏｇｉｃａｌ  Ｃｈａｎｎｅｌ  Ｇｒｏｕｐ）ごとにあってもよい。実施形態によっては、ＵＥは、閾値を超えたときにのみＢＳＲを他のｅＮＢに送信することもできる。このような構成は、ＵＥがスケジューリングすべきデータ（例えば伝送制御プロトコル（ＴＣＰ：Ｔｒａｎｓｍｉｓｓｉｏｎ  Ｃｏｎｔｒｏｌ  Ｐｒｏｔｏｃｏｌ）の知識）を少量（所定の閾値未満）しか有していなければ、２つのＵＬを必要としないように構成されてもよい。また、ＵＥは、ＵＥがＢＳＲを主要選択肢に加えて第２のｅＮＢにいつ送信しなければならないかを決定する遅延閾値またはＵＬスループット閾値を用いて構成されてもよい。
【００６３】
実施形態によっては、引き続き第３の代替案に関して、ＢＳＲを第１のｅＮＢと第２のｅＮＢ（例えばＭｅＮＢおよびＳｅＮＢ）の両方に送信するようにＮＷがＵＥを構成する場合、特定の閾値までのデータが例えばＳｅＮＢに報告されてもよく、閾値を満たすか超えるとＭｅＮＢに報告されてもよい。実施形態によっては、特定の閾値までのデータが例えばＳｅＮＢに報告されてもよく、閾値を満たすか超えた後、データは、何らかの割合で完全に、または実施形態によっては何らかの重み付けを伴って、両方に報告されてもよい。
【００６４】
前述した構成を達成するために、２種類のＢＳＲレポートを定義できる。つまり「Ｍ−ＢＳＲ」および「Ｓ−ＢＳＲ」であり、ＭｅＮＢおよびＳｅＮＢそれぞれに伝送されたＢＳＲである。Ｍ−ＢＳＲは、過去データのベアラおよび分割ベアラに対するバッファステータスを含むことができ、Ｓ−ＢＳＲは、ＳｅＮＢ用に構成されたベアラおよび分割ベアラに対するバッファステータスを含むことができる。
【００６５】
実施形態によっては、Ｍ−ＢＳＲは、過去データ（ＭｅＮＢ）の新データによってトリガされてもよく、Ｓ−ＢＳＲは、ＳｅＮＢ用に構成されたベアラに対する新データによってトリガされてもよい。分割ベアラの場合、Ｍ−ＢＳＲかＳ−ＢＳＲのいずれか、またはこの両方がトリガされてもよい。分割ベアラの場合（非分割ベアラの場合も）、ＵＬのスケジューリングに対するネットワーク制御を維持するため、ベアラを構成するときに、ＮＷは、どのセル位置に、例えばｅＮＢに、ＢＳＲを送信できるのかを構成することもできる。少なくとも、次の３つの代替案が可能である：（１）ＭｅＮＢのみに送信する。この場合、例えばＭ−ＢＳＲのみがトリガされ得る；（２）ＳｅＮＢのみに送信する。この場合、例えば、Ｓ−ＢＳＲのみがトリガされ得る；および（３）ＭｅＮＢとＳｅＮＢの両方に送信する。この場合、例えば、Ｍ−ＢＳＲとＳ−ＢＳＲの両方がトリガされ得る。
【００６６】
したがって、Ｍ−ＢＳＲは、（１）ＭｅＮＢのみから供給されたベアラに対するＲＬＣおよびＰＤＣＰレイヤへの伝送に利用できるデータ、（２）もしあれば、ＭｅＮＢとＳｅＮＢの両方から供給されたベアラに対するＭｅＮＢに対応するＲＬＣエンティティのＲＬＣ再伝送データおよびＲＬＣステータスＰＤＵ（またはオフライン処理のためのＵＬグラントをＵＥが受信する前にＰＤＣＰからＲＬＣへ新データを送ることが可能であれば、ＭｅＮＢのＲＬＣエンティティへの伝送が利用できる全データ）；ならびに（３）構成に基づいて、任意選択で、ＭｅＮＢとＳｅＮＢの両方から供給されたベアラに対するＰＤＣＰレイヤ内のデータ、を含むことができる。
【００６７】
Ｓ−ＢＳＲは、（１）ＳｅＮＢのみから供給されたベアラに対するＲＬＣおよびＰＤＣＰレイヤへの伝送に利用できるデータ、（２）もしあれば、ＭｅＮＢとＳｅＮＢの両方から供給されたベアラに対するＳｅＮＢに対応するＲＬＣエンティティのＲＬＣ再伝送データおよびＲＬＣステータスＰＤＵ（またはオフライン処理のためのＵＬグラントをＵＥが取得する前にＰＤＣＰからＲＬＣへ新データを送ることが可能であれば、ＳｅＮＢのＲＬＣエンティティへの伝送が利用できる全データ）；ならびに（３）構成に基づいて、任意選択で、ＭｅＮＢとＳｅＮＢの両方から供給されたベアラに対するＰＤＣＰレイヤ内のデータ、を含むことができる。
【００６８】
優先度の高いデータの到着がＢＳＲトリガに起きた場合の実施形態によっては、Ｍ−ＢＳＲおよびＳ−ＢＳＲそれぞれをトリガするために、各ノードに伝送するのに利用できると見なされたデータに限定されるべきである。例えば、データは、Ｍ−ＢＳＲおよびＳ−ＢＳＲそれぞれをトリガするために、Ｍ−ＢＳＲおよびＳ−ＢＳＲのコンテンツが提供した通りに各ノードに伝送するのに利用できると見なされたデータに限定されるべきである。
【００６９】
実施形態によっては、第３の代替案に関連するもののように、さらに他の構成が含まれていてもよい。例えば、ＢＳＲは、データの量が閾値よりも少なければ（例えばＴＣＰ  ＡＣＫ）、１つのｅＮＢのみに伝送されてもよく、ＮＷはそのｅＮＢを構成する。これらの構成では、ＮＷは、ＢＳＲが１つまたは両方のｅＮＢに送信されたのかどうかを分割ベアラに対して検出できる。実施形態によっては、ＮＷは、ＵＬスケジューリングを、例えばＸｎ遅延などに応じて少なくとも略統計的に制御でき、ｅＮＢは、ある程度の協働を動的に含むことができ、Ｘｎ上でＢＳＲを共有することもできる。このような構成では、完全なＢＳＲの情報を、第３の代替案における両方のｅＮＢに送信することで、両方のｅＮＢがその場合にスケジューリングできることをＮＷは認識させることができる。
【００７０】
そのため、実施形態によっては、ＳＲは、ＢＳＲが意図されている同じｅＮＢに送信され得る。分割ベアラのＵＬデータを伝送するために、ＢＳＲと同じ方法でＵＬデータの伝送をつなげることが可能であるか、あるいは、ベアラのＢＳＲが一方のｅＮＢに対して構成されているとしてもベアラのデータをいずれかのｅＮＢに伝送することができるか、あるいは、ＵＬデータの伝送はｅＮＢ側でＰＤＣＰレイヤに影響を及ぼすことがあるため別々に構成され得る。
＜例示的なプロセス＞
【００７１】
次に図４および５を参照すると、後述する図６の装置２０などによって実施される動作は、ＵＥが分割ベアラに対するＢＳＲをどこに送信すべきかを示す指示を提供するネットワーク構成を導入するために示されている。
【００７２】
実施形態によっては、ＵＥがＢＳＲ／ＳＲをどこに送信できるかという指示がＵＥに提供されてもよい。ベアラ分割の場合、例えば、ＵＥは、（１）ＭｅＮＢ、（２）ＳｅＮＢ、または（３）この両方に（即座に、または交互に）伝送するという指示を受信できる。図４は、ＢＳＲを提供するためにＮＷがＵＥを構成する例示的な方法を示し、その結果、実施形態によっては、ＳＲを第１のセル位置（例えばＭｅＮＢ）および第２のセル位置（例えばＳｅＮＢ）のそれぞれに交互に提供する。実施形態によっては、この２つの構成のどちらに提供されるかに応じて、特定の規則が提供されてもよい。一般に、ＮＷが分割ベアラを構成する場合、ＮＷは、このベアラに関連するＢＳＲをどのセルに送信すべきかという情報を含む指示をＵＥに提供できる。
【００７３】
図４は、ＢＳＲを提供するためにＮＷがＵＥを構成する例示的な方法を示し、その結果、実施形態によっては、ＳＲを第１のセル位置（例えばＭｅＮＢ）および第２のセル位置（例えばＳｅＮＢ）のそれぞれに交互に提供する。
【００７４】
図４のブロック４０５に示したように、装置は、二重接続方式で動作するＵＥが１つ以上のベアラに対するバッファステータスレポート（ＢＳＲ）を伝送できるセル位置を示す指示をユーザ装置（ＵＥ）で受信し、セル位置は、第１の位置、第２の位置のいずれか一方、または第１の位置および第２の位置である、プロセッサ２２などの手段を備えることができる。実施形態によっては、１つ以上のベアラは、分割ベアラであってもよい。実施形態によっては、指示は、無線リソース制御（ＲＲＣ）シグナリング（構成）、媒体アクセス制御（ＭＡＣ）シグナリング（ＭＡＣ  ＣＥ）または物理レイヤシグナリングによって提供されてもよい。
【００７５】
図４のブロック４１０に示したように、装置２０は、トリガされたことに応答して、指示に示された位置にＢＳＲを伝送させるために、プロセッサ２２などの手段を備えることができる。
【００７６】
実施形態によっては、ＵＥがＢＳＲを両方のｅＮＢに交互に送信するように構成されている場合、ＵＥが（ＳＲを送信した後に）ＵＬグラントを取得しなければ、ＵＥはもう一方のセルに試みることになる。例えば、特定の設定時間／所定時間が経過した後に取得されなければ、最初のＮ個（例えば１つ、２つ）のＳＲが１つのセルに試行する（ＳＲを送信し、さらに、タイマーを禁止する時間またはそれ以外の何らかの所定時間の間待機する）。実施形態によっては、ＳＲの再伝送がある場合、ＵＥは、もう一方のセルにも伝送するように構成されてもよい。例えば、１、２回程度の後に伝送を試行する。これは、ＳｅＮＢにＲＬＦ（無線リンク障害）またはそのような非アクティブ状態がない場合に特に必要なことがある。さらに、例えばリンクの質が著しく低下した後にＵＥが上りリンクでＳｅＮＢに向かって何かを伝送するのを防止する無線リンクモニタリングに基づく条件があってもよい。この場合、ＵＥは、上りリンクでＳｅＮＢに伝送することを許されないことがあり、そのため、代わりにＢＳＲ（例えば分割ベアラの場合）およびＳＲをＭｅＮＢに伝送するように構成されてもよい。同じように、非分割ベアラであっても、ＳｅＮＢに向けての上りリンクの伝送がそれ以上許されない、または成功しない場合、ＵＥは、ＳｅＮＢの特定のベアラのバッファステータスをＭｅＮＢにも送信して、例えばベアラの切り替えをしなければならないことをＭｅＮＢに指示できる。
【００７７】
このように、図４のブロック４１５に示したように、装置２０は、ＵＥがＢＳＲを第１のセル位置および第２のセル位置に交互に伝送すべきであることを指示が示している場合に、ＵＥが第１のスケジューリングリクエスト（ＳＲ）を第１のセル位置に伝送するようにし、ＳＲを伝送した後にＵＥが所定時間の間待機するようにし、第１のＳＲに応答してＵＬグラントが受信されなければ、ＵＥが第２のＳＲを第２のセル位置に伝送するようにするために、プロセッサ２２などの手段を備えることができる。
【００７８】
ここで、例えば、ＢＳＲを第１のセル位置（例えばＭｅＮＢ）および第２のセル位置（例えばＳｅＮＢ）に交互に伝送するという指示を示されていたＵＥは、例えば特定の設定時間／所定時間の後に、例えば第１のＳＲに応答してＵＬグラントが受信されていなければ、第２のセル位置（例えばＳｅＮＢ）に伝送できる。
【００７９】
図４のブロック４２０に示したように、装置２０は、ＵＥがＢＳＲを第１のセル位置および第２のセル位置に交互に伝送すべきであることを指示が示している場合に、ＵＥが第１のスケジューリングリクエスト（ＳＲ）を第１のセル位置に伝送するようにし、第１のＳＲに応答してＵＬグラントが受信されなければ、ＵＥが第１のＳＲを第１のセル位置に再伝送するようにし、再伝送を所定回数行った後に第１のＳＲに応答してＵＬグラントが受信されなければ、ＵＥが第２のＳＲを第２のセル位置に伝送するようにするために、プロセッサ２２などの手段を備えることができる。
【００８０】
ここで、例えば、ＢＳＲを第１のセル位置（例えばＭｅＮＢ）および第２のセル位置（例えばＳｅＮＢ）に交互に伝送するという指示を示されていたＵＥは、例えば特定の構成試行回数または所定試行回数の後に、例えば所定回数の再伝送に応答してＵＬグラントが受信されていなければ、第２のセル位置（例えばＳｅＮＢ）に伝送できる。例えば、伝送試行が１、２回またはこれ以外の所定の回数行われた後に、もう一方のｅＮＢに伝送が行われる。これは、ＳｅＮＢにＲＬＦまたはそのような非アクティブ状態がない場合に特に必要なことがある。
【００８１】
図４のブロック４２５に示したように、装置２０は、ＵＥがＢＳＲを第１のセル位置および第２のセル位置に交互に伝送すべきであることを指示が示している場合に、ＵＥが第１のスケジューリングリクエスト（ＳＲ）を第１のセル位置に伝送するようにし、第１のＳＲに応答してＵＬグラントが受信されなければ、ＵＥが第２のＳＲを第３のセル位置に伝送するようにするために、プロセッサ２２などの手段を備えることができる。
【００８２】
実施形態によっては、ＳＲをＭｅＮＢおよびＳｅＮＢに交互に伝送するとき、ＵＥは、一度に１つのＳＲのみをアクティブにできる。換言すれば、第２のＳＲが送信されれば、ＵＥは、第１のＳＲを取り消すように構成されてもよい（この２つが同じベアラ／ＢＳＲに対してトリガされた場合）。実施形態によっては、第２のＳＲを送信するとき、ＵＥは、ＮＷにはＵＥをスケジューリングする時間が十分にあったために第１のＳＲが「アクティブ」ではなくなっていると仮定できる。
【００８３】
図５は、ＢＳＲを提供するためにＮＷがＵＥを構成する例示的な方法を示し、その結果、実施形態によっては、ＳＲを第１のセル位置（例えばＭｅＮＢ）および第２のセル位置（例えばＳｅＮＢ）のそれぞれに提供する。
【００８４】
図５のブロック５０５に示したように、装置は、二重接続方式で動作するＵＥが分割ベアラに対するバッファステータスレポート（ＢＳＲ）を伝送すべき先のセル位置を示す指示をユーザ装置（ＵＥ）で受信し、セル位置は、第１の位置、第２の位置のいずれか一方、または第１の位置および第２の位置である、プロセッサ２２などの手段を備えることができる。
【００８５】
図５のブロック５１０に示したように、装置は、ＵＥがＢＳＲを第１のセル位置に伝送すべきであることを指示が示している場合に、ＵＥが第１のスケジューリングリクエスト（ＳＲ）を第１のセル位置に伝送するようにし、第１のセル位置からの信号が弱いことを無線リンクモニタリング（ＲＬＭ：Ｒａｄｉｏ  Ｌｉｎｋ  Ｍｏｎｉｔｏｒｉｎｇ）が示した場合、または無線リンク障害（ＲＬＦ）の状態がトリガされた場合に、ＵＥがＢＳＲおよびＳＲを第２のセル位置に伝送するようにするために、プロセッサ２２などの手段を備えることができる。
【００８６】
例えば、実施形態によっては、分割ベアラのＢＳＲ／ＳＲをＳｅＮＢセルに優先的に送信するようにＵＥが構成されていて、そのセルが弱い（あるいは何らかのＲＬＦ状態がトリガされている）ことをＲＬＭが示した場合、ＵＥは、代わりにＢＳＲ／ＳＲをＭｅＮＢに送信できる。さらに、実施形態によっては、ＵＥが分割ベアラのＢＳＲをＭｅＮＢとＳｅＮＢの両方に送信すれば、ネットワークがＵＥをこのように構成していない場合、両方に伝送されたことまたはもう一方のセルにも伝送されたことを示すビットがあってもよい。
【００８７】
例示的な実施形態では、ＵＥがＢＳＲをどこに送信できるかを示す構成が１つあれば、上りリンク（ＵＬ）データをＳｅＮＢへ送信するが（ＭｅＮＢの下りリンクに対する）ＲＬＣステータスＰＤＵをＭｅＮＢに送信することをネットワークが希望している場合、データがなければＵＥはＲＬＣステータスＰＤＵのみにＭ−ＢＳＲをトリガできる。これは、Ｘｎｄｅｌａｙ（インターフェース遅延）に左右されることがある。例えばＸｎｄｅｌａｙが大きい場合（例えば５０ｍｓ）、ＵＥはＢＳＲを送信でき、ＳＲも同じように直接送信できる。
【００８８】
そのため、図５のブロック５１５に示したように、装置は、ＵＥがＢＳＲを第１のセル位置および第２のセル位置に伝送すべきであることを指示が示している場合に、ＢＳＲが第１のセル位置と第２のセル位置の両方に伝送されていることを示すビットをＢＳＲに含めるようにする、プロセッサ２２などの手段を備えることができる。
【００８９】
図５のブロック５２０に示したように、装置は、上りリンク（ＵＬ）のベアラ分割が構成されていない場合に、物理上りリンク共有チャネル（ＰＵＳＣＨ）が１つのセル位置のみに使用され、ＲＬＣステータスがＸｎ上で第２のセル位置に転送され、ＢＳＲを第１のセル位置に伝送することに失敗した場合にＢＳＲを第２のセル位置に伝送させる、プロセッサ２２などの手段を備えることができる。
【００９０】
図５のブロック５２５に示したように、装置は、上りリンク（ＵＬ）のベアラ分割が構成されていない場合に、物理上りリンク共有チャネル（ＰＵＳＣＨ）が１つのセル位置のみに使用され、ＲＬＣステータスがＸｎ上で第２のセル位置に転送され、ＢＳＲを第１のセル位置に伝送することに失敗した場合にＢＳＲを第２のセル位置に伝送させ、ランダムアクセスで第１のセル位置への伝送を試行させる、プロセッサ２２などの手段を備えることができる。
【００９１】
図５のブロック５３０に示したように、装置は、第２のセル位置へ伝送されたＢＳＲ、第１のセル位置が応答するのに失敗したことを示すシグナリングを含む、プロセッサ２２などの手段を備えることができる。
【００９２】
図５のブロック５３５に示したように、装置は、第１のセル位置へのＵＬの伝送、およびＤＬデータに関連するＲＬＣステータスＰＤＵが第２のセル位置に送信された場合に、ＢＳＲを伝送させ、ＢＳＲが受信セルに関連するデータの量のみを示す、プロセッサ２２などの手段を備えることができる。
【００９３】
ＵＥがＢＳＲをどこに送信すべきかを示す構成が１つある場合などの実施形態によっては、ＵＬデータを第２のセル位置（例えばＳｅＮＢ）に送信するが、（例えばＭｅＮＢ  ＤＬに対する）ＲＬＣステータスＰＤＵを第１のセル位置（例えばＭｅＮＢ）に送信することをＮＷが希望していれば、伝送するデータがない場合に、ＵＥがＲＬＣステータスＰＤＵのみに対してＭ−ＢＳＲトリガしているという方法が提供されてもよい。実施形態によっては、トリガは、Ｘｎｄｅｌａｙに左右されることがある。例えば、遅延が大きい場合（例えば５０ｍｓ）、ＵＥは遅延の結果それを直接送信できる。
【００９４】
ＵＥがＢＳＲをどこに送信すべきかという指示は、ＲＲＣシグナリングを含むＲＲＣ構成によって提供されてもよいし、あるいは、ＭＡＣレベルのシグナリングとして、例えばＭＡＣ制御要素（ＣＥ）として、あるいは物理レイヤシグナリングとして、例えばＰＤＣＣＨに提供されてもよい。指示は、ベアラごとまたはベアラグループごとまたはベアラの種類ごと（例えば分割ベアラおよび非分割ベアラ）であってもよい。
【００９５】
前述したように、図４および５は、例えば本発明の例示的な実施形態に従って本明細書に記載した方法のフローチャートを示している。フローチャートの各ブロック、およびフローチャートのブロックの組み合わせは、１つ以上のコンピュータプログラム命令を含むソフトウェアを実行することに関連付けられたハードウェア、ファームウェア、プロセッサ、回路、および／またはその他の通信デバイスなどの様々な手段によって実施され得ることが理解されるであろう。例えば、前述した手順の１つ以上をコンピュータプログラム命令によって実現できる。これに関して、前述した手順を実現するコンピュータプログラム命令は、本発明の実施形態を用いる装置の記憶デバイス２４によって格納され、装置のプロセッサ２２によって実行され得る。理解されるように、そのようなコンピュータプログラム命令はいずれも、機械を生産するためにコンピュータまたはその他のプログラム可能な装置（例えばハードウェア）にロードされることができ、その結果、生じたコンピュータまたはその他のプログラム可能な装置は、フローチャートのブロックに明記した機能を実施する。これらのコンピュータプログラム命令は、コンピュータまたはその他のプログラム可能な装置が特定の方法で機能するように誘導できるコンピュータ可読メモリに格納されてもよく、その結果、コンピュータ可読メモリに格納された命令が製造物を生産し、その命令が実行されることでフローチャートのブロックに明記した機能が実施される。コンピュータプログラム命令は、コンピュータまたはその他のプログラム可能な装置にロードされて一連の動作をコンピュータまたはその他のプログラム可能な装置上で実施し、コンピュータ実装プロセスを生み出すようにすることもでき、それによってコンピュータまたはその他のプログラム可能な装置上で実行する命令は、フローチャートのブロックに明記した機能を実施するための動作を提供する。
【００９６】
したがって、フローチャートのブロックは、明記した機能を実施する手段の組み合わせおよび明記した機能を実施する動作の組み合わせをサポートする。フローチャートの１つ以上のブロック、およびフローチャート内のブロックの組み合わせは、明記した機能を実施する特殊目的のハードウェアベースのコンピュータシステム、または特殊目的のハードウェアとコンピュータ命令との組み合わせによって実施され得ることも理解されるであろう。
【００９７】
実施形態によっては、上記の動作のいくつかは修正されるかさらに拡大されてもよい。さらに、実施形態によっては、図４のブロック４１５、４２０、および４３５の破線で示したように、追加の任意選択の動作が含まれてもよい。上記の動作への修正、追加または拡大を、どのような順序でどのように組み合わせて実施してもよい。
【００９８】
ＵＥまたはｅＮＢなどは、図６に示したように、装置２０を備えいてもよいし、あるいは該装置と接続されていてもよい。装置は、図６に示したもののように、本発明の例示的な実施形態に従って具体的に構成され、視線および視線以外のトラフィックに基づく異質のネットワーク内で動的な適応帯域を選択する。装置は、プロセッサ２２、記憶デバイス２４、通信インターフェース２６および任意選択のユーザインターフェース２８を備えいてもよいし、あるいはこれらと通信していてもよい。実施形態によっては、プロセッサ（および／またはコプロセッサ、またはプロセッサを補佐するかあるいはプロセッサと接続しているその他の任意の処理回路）は、装置の構成要素間で情報を通すためのバスを介して記憶デバイスと通信していてもよい。記憶デバイスは、一時的でないものであってもよく、かつ、例えば、１つ以上の揮発性かつ／または不揮発性のメモリを備えていてもよい。換言すれば、例えば、記憶デバイスは、機械（例えばプロセッサのようなコンピューティングデバイス）で修復可能であってよいデータ（例えばビット）を格納するように構成されたゲートを備える電子ストレージデバイス（例えばコンピュータ可読ストレージ媒体）であってもよい。記憶デバイスは、装置が本発明の例示的な実施形態による様々な機能を実行できるようにするための情報、データ、コンテンツ、アプリケーション、命令などを格納するように構成されてもよい。例えば、記憶デバイスは、プロセッサで処理するために入力データをバッファリングするように構成されてもよい。これ加えて、またはこれに代えて、記憶デバイスは、プロセッサで実行するための命令を格納するように構成されてもよい。
【００９９】
上記のように、装置２０は、無線通信サーバ１５によって実現され得る。ただし、実施形態によっては、装置は、チップまたはチップセットとして実現されてもよい。換言すれば、装置は、構造アセンブリ（例えば基板）上に材料、構成要素および／またはワイヤを含む１つ以上の物理パッケージ（例えばチップ）を備えることができる。構造アセンブリは、構造アセンブリに含まれている構成要素の回路に対して、物理的な力、サイズの保持、および／または電気的な相互作用の制限を施すことができる。したがって、装置は、場合によっては、本発明の実施形態を単一のチップ上で、または単一の「チップ上のシステム」として実施するように構成されてもよい。このように、場合によっては、チップまたはチップセットが、本明細書に記載した機能を提供する１つ以上の動作を実施する手段となり得る。
【０１００】
プロセッサ２２は、多くの異なる方法で実現され得る。例えば、プロセッサは、１つ以上の様々なハードウェア処理手段として実現されることができ、これには、コプロセッサ、マイクロプロセッサ、コントローラ、デジタルシグナルプロセッサ（ＤＳＰ）、付随のＤＳＰがあるまたはない処理要素、または例えば、ＡＳＩＣ（特定用途向け集積回路）、ＦＰＧＡ（フィールド・プログラマブル・ゲート・アレイ）、マイクロコントローラユニット（ＭＣＵ）、ハードウェアアクセラレータ、特殊目的コンピュータチップなどの集積回路を含むその他の様々な処理回路などがある。このように、実施形態によっては、プロセッサは、独立して実施するように構成された１つ以上の処理コアを備えることができる。マルチコアプロセッサが単一の物理パッケージ内でのマルチ処理を可能にできる。これに加えて、またはこれに代えて、プロセッサは、命令、パイプライン処理および／またはマルチスレッドの独立した実行を可能にするためにバスを介して縦に並んで構成された１つ以上のプロセッサを備えることができる。
【０１０１】
例示的な実施形態では、プロセッサ２２は、記憶デバイス２４に格納されているか、あるいはプロセッサにアクセス可能な命令を実行するように構成されてもよい。これに代えて、またはこれに加えて、プロセッサは、ハードコーディングされた機能を実行するように構成されてもよい。このように、ハードウェアもしくはソフトウェアによる方法、またはその組み合わせによって構成されいるかどうかに関わらず、プロセッサは、そのように構成された状態で本発明の実施形態による動作を実行できる（例えば回路内に物理的に実現された）エンティティとなり得る。そのため、例えば、プロセッサがＡＳＩＣ、ＦＰＧＡなどどして実現されている場合、プロセッサは、本明細書に記載した動作を実行するために具体的に構成されたハードウェアであってもよい。これに代えて、別の例を挙げると、プロセッサがソフトウェア命令を実行するものとして実現されている場合、その命令は、命令が実行されると本明細書に記載したアルゴリズムおよび／または動作を実施するようにプロセッサを具体的に構成できる。ただし、場合によっては、プロセッサは、本明細書に記載したアルゴリズムおよび／または動作を実施するための命令によってプロセッサをさらに構成して、本発明の実施形態を用いるように構成された具体的なデバイス（例えば携帯端末または固定型のコンピューティングデバイス）のプロセッサであってもよい。プロセッサは、とりわけ、クロック、算術論理ユニット（ＡＬＵ）およびプロセッサの動作をサポートするように構成された論理ゲートを備えることができる。
【０１０２】
例示的な実施形態の装置２０は、通信インターフェース２６も備えることができ、この通信インターフェースは、１つ以上のユーザ装置１０などとの通信を容易にするなどのために、装置と通信状態にある通信デバイスから／通信デバイスに受信および／または伝送するように構成されたハードウェアまたはハードウェアとソフトウェアとの組み合わせのいずれかに実現されたデバイスまたは回路などの任意の手段であってよい。この点に関して、通信インターフェースは、例えば、無線通信ネットワークと通信できるようにサポートする１つのアンテナ（または複数のアンテナ）およびハードウェアおよび／またはソフトウェアを備えることができる。これに加えて、またはこれに代えて、通信インターフェースは、アンテナを介して信号を伝送させるため、またはアンテナを介して受信する信号の受信に対処するために、アンテナと相互作用する回路を備えることができる。環境によっては、通信インターフェースは、その代わりに、有線通信であってもよいし、または有線通信をサポートしてもよい。このように、例えば、通信インターフェースは、ケーブル、デジタル加入者線（ＤＳＬ）、ユニバーサル・シリアル・バス（ＵＳＢ）またはその他の機構を介して通信をサポートする通信モデムおよび／またはその他のハードウェアおよび／またはソフトウェアを備えることができる。
【０１０３】
装置２０は、任意選択でユーザインターフェース２８を備えることもでき、このユーザインターフェースは、出力をユーザへ提供し、実施形態によってはユーザ入力の指示を受信するために、プロセッサ２２と通信していてもよい。このように、ユーザインターフェースは、ディスプレイを備えることができ、実施形態によっては、キーボード、マウス、ジョイスティック、タッチ画面、タッチエリア、ソフトキー、１つ以上のマイクロフォン、複数のスピーカ、またはその他の入力／出力機構も備えることができる。１つの実施形態では、プロセッサは、ディスプレイおよび、実施形態によっては、複数のスピーカ、鳴鐘装置、１つ以上のマクロフォンなどの１つ以上のユーザインターフェース要素の少なくともいくつかの機能を制御するように構成されたユーザインターフェース回路を備えることができる。プロセッサおよび／またはプロセッサを備えるユーザインターフェース回路は、プロセッサ（例えば記憶デバイス２４など）にアクセス可能なメモリに格納されたコンピュータプログラム命令（例えばソフトウェアおよび／またはファームウェア）によって１つ以上のユーザインターフェース要素の１つ以上の機能を制御するように構成されてもよい。
【０１０４】
当業者には、本明細書に記載した本発明の多くの修正およびその他の実施形態を思いつくであろう。これらの発明に関わる当業者は、上記の説明およびそれに関連する図面に記載した教示の利益を有する。したがって、本発明は開示した特定の実施形態に限定されず、修正およびその他の実施形態が添付の請求項の範囲内に含まれることを意図していることを理解すべきである。さらに、上記の説明およびそれに関連する図面は、要素および／または機能を例として特定の組み合わせにした状態での例示的な実施形態を示しているが、添付の請求項の範囲を逸脱しない限り、異なる要素および／または機能の組み合わせが代替実施形態によって提供されてもよいことを理解すべきである。この点に関して、例えば、上記に明記したものと異なる要素および／または機能の組み合わせを添付の請求項のいくつかに記載してもよいため、そのような組み合わせも構想される。本明細書では特定の用語を用いているが、そのような用語は、一般的かつ説明的な意味のみで使用されており、限定するためではない。  
【図１】
0006355281.tif 000002
【図２】
0006355281.tif 000003
【図３】
0006355281.tif 000004
【図４】
0006355281.tif 000005
【図５】
0006355281.tif 000006
【図６】
0006355281.tif 000007